(57)【要約】【課題】有価価値情報を商品、サービス、物理的な商品券またはポイントなどに任意に変換することができる有価価値情報の管理方法及び管理システム並びに有価価値情報管理プログラムを提供する。【解決手段】加盟店サーバ３が、利用者Ｂ端末２から有価価値情報としての電子共通商品券を商品、サービス、ポイントなどに変換する要求を受けると、管理センタサーバ４に電子決済処理を要求する。管理センタサーバ４は、その電子決済処理の要求に応じて、電子共通商品券の残高から変換分の金額を差し引き、差し引いた残高を受け取り主ＤＢ４６の利用者Ｂのレコードに登録する。加盟店サーバ３は、電子決済処理が完了すると、差し引かれた金額分の電子共通商品券を所定の商品などに変換する。【選択図】　　　図１
2004062545.tif 000002
【特許請求の範囲】
【請求項１】
財またはサービスに交換することに同意している複数の加盟店が提供する財またはサービスに交換可能であり、通信ネットワークを介して転送される有価価値情報の管理を行う管理方法であって、
有価価値情報の残高をユーザ毎に管理する管理手段が、ユーザが保有する有価価値情報を財またはサービスに交換する際に、前記複数の加盟店の一覧を示す情報を前記端末装置に通信ネットワークを介して提供し、
前記管理手段が、ユーザが保有する有価価値情報を前記複数の加盟店の一覧から選択された加盟店が提供する財またはサービスに交換する処理が行われる際に、当該ユーザが保有する有価価値情報を確認する
ことを特徴とする有価価値情報の管理方法。
【請求項２】
管理手段が、通信ネットワークに接続される端末装置から、ユーザが有価価値情報を財またはサービスに交換することを希望する加盟店を示す情報を通信ネットワークを介して受信すると、受信した情報が示す加盟店で、その加盟店が提供する財またはサービスに有価価値情報を変換するための処理を実行する
請求項１記載の有価価値情報の管理方法。
【請求項３】
財またはサービスに交換することに同意している複数の加盟店が提供する財またはサービスに交換可能であり、通信ネットワークを介して転送される有価価値情報の管理を行う管理方法であって、
有価価値情報の残高をユーザ毎に管理する管理手段が、通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理を順次実行する
ことを特徴とする有価価値情報の管理方法。
【請求項４】
管理手段が、ユーザが保有する有価価値情報を財またはサービスに交換する際に、複数の加盟店の一覧を示す情報を端末装置に通信ネットワークを介して提供する
請求項３記載の有価価値情報の管理方法。
【請求項５】
管理手段が、端末装置から受信した情報が示す加盟店で、端末装置から受信した情報が示す財またはサービスに有価価値情報を変換するために、加盟店または加盟店の委託を受けた第三者が運営するＷｅｂサイトであって有価価値情報を財またはサービスに交換する処理を行うＷｅｂサイトに、通信ネットワークを介して前記端末装置を接続させる
請求項１から請求項４のうちのいずれか１項に記載の有価価値情報の管理方法。
【請求項６】
有価価値情報から交換可能な財には、加盟店で商品またはサービスと交換しうる物理的な有価価値券が含まれる
請求項１から請求項５のうちのいずれか１項に記載の有価価値情報の管理方法。
【請求項７】
有価価値情報から交換可能な財には、加盟店で商品またはサービスと交換しうるポイントが含まれる
請求項１から請求項６のうちのいずれか１項に記載の有価価値情報の管理方法。
【請求項８】
有価価値情報から交換可能な財には、加盟店または加盟店の委託を受けた第三者が運営する商品またはサービスを販売するＷｅｂサイトから、端末装置が通信ネットワークを介して購入処理を行った商品またはサービスが含まれる
請求項１から請求項７のうちのいずれか１項に記載の有価価値情報の管理方法。
【請求項９】
管理手段が、通信ネットワークを介して一のユーザが操作する端末装置から他のユーザに対して有価価値情報を贈与する旨の情報を受信すると、通信ネットワークを介して前記他のユーザが操作する端末装置に、前記一のユーザから有価価値情報が贈与される旨の情報を送信する
請求項１から請求項８のうちのいずれか１項に記載の有価価値情報の管理方法。
【請求項１０】
管理手段が、他のユーザが操作する端末装置から有価価値情報の贈与を受け入れる旨の情報を受信した場合に、前記他のユーザに対応する利用可能な有価価値情報の残高情報を、贈与される有価価値情報の分だけ増やす
請求項９記載の有価価値情報の管理方法。
【請求項１１】
財またはサービスに交換することに同意している複数の加盟店が提供する財またはサービスに交換可能であり、通信ネットワークを介して転送される有価価値情報の管理を行う管理システムであって、
有価価値情報の残高をユーザ毎に管理する管理サーバを備え、
当該管理サーバは、ユーザが保有する有価価値情報を財またはサービスに交換する際に、前記複数の加盟店の一覧を示す情報を前記端末装置に通信ネットワークを介して提供し、
前記管理サーバは、ユーザが保有する有価価値情報を前記複数の加盟店の一覧から選択された加盟店が提供する財またはサービスに交換する処理が行われる際に、当該ユーザが保有する有価価値情報を確認する
ことを特徴とする有価価値情報の管理システム。
【請求項１２】
管理サーバは、通信ネットワークに接続される端末装置から、ユーザが有価価値情報を財またはサービスに交換することを希望する加盟店を示す情報を通信ネットワークを介して受信すると、受信した情報が示す加盟店で、その加盟店が提供する財またはサービスに有価価値情報を変換するための処理を実行する
請求項１１記載の有価価値情報の管理システム。
【請求項１３】
財またはサービスに交換することに同意している複数の加盟店が提供する財またはサービスに交換可能であり、通信ネットワークを介して転送される有価価値情報の管理を行う管理システムであって、
有価価値情報の残高をユーザ毎に管理する管理サーバを備え、
当該管理サーバは、通信ネットワークに接続される端末装置から、ユーザが有価価値情報を財またはサービスに交換することを希望する複数の加盟店および加盟店における財またはサービスの種類を示す情報を通信ネットワークを介して順次受信すると、受信した情報が示す各加盟店で、各加盟店が提供する財またはサービスに有価価値情報を変換するための処理を順次実行する
ことを特徴とする有価価値情報の管理システム。
【請求項１４】
管理サーバは、ユーザが保有する有価価値情報を財またはサービスに交換する際に、複数の加盟店の一覧を示す情報を端末装置に通信ネットワークを介して提供する
請求項１３記載の有価価値情報の管理システム。
【請求項１５】
管理サーバは、端末装置から受信した情報が示す加盟店で、端末装置から受信した情報が示す財またはサービスに有価価値情報を変換するために、加盟店または加盟店の委託を受けた第三者が運営するＷｅｂサイトであって有価価値情報を財またはサービスに交換する処理を行うＷｅｂサイトに、通信ネットワークを介して前記端末装置を接続させる
請求項１１から請求項１４のうちのいずれか１項に記載の有価価値情報の管理システム。
【請求項１６】
有価価値情報から交換可能な財には、加盟店で商品またはサービスと交換しうる物理的な有価価値券が含まれる
請求項１１から請求項１５のうちのいずれか１項に記載の有価価値情報の管理システム。
【請求項１７】
有価価値情報から交換可能な財には、加盟店で商品またはサービスと交換しうるポイントが含まれる
請求項１１から請求項１６のうちのいずれか１項に記載の有価価値情報の管理システム。
【請求項１８】
有価価値情報から交換可能な財には、加盟店または加盟店の委託を受けた第三者が運営する商品またはサービスを販売するＷｅｂサイトから、端末装置が通信ネットワークを介して購入処理を行った商品またはサービスが含まれる
請求項１１から請求項１７のうちのいずれか１項に記載の有価価値情報の管理システム。
【請求項１９】
管理サーバは、通信ネットワークを介して一のユーザが操作する端末装置から他のユーザに対して有価価値情報を贈与する旨の情報を受信すると、通信ネットワークを介して前記他のユーザが操作する端末装置に、前記一のユーザから有価価値情報が贈与される旨の情報を送信する
請求項１１から請求項１８のうちのいずれか１項に記載の有価価値情報の管理システム。
【請求項２０】
管理サーバは、他のユーザが操作する端末装置から有価価値情報の贈与を受け入れる旨の情報を受信した場合に、前記他のユーザに対応する利用可能な有価価値情報の残高情報を、贈与される有価価値情報の分だけ増やす
請求項１９記載の有価価値情報の管理システム。
【請求項２１】
コンピュータに、財またはサービスに交換することに同意している複数の加盟店が提供する財またはサービスに交換可能であり通信ネットワークを介して転送される有価価値情報の管理を実行させる有価価値情報管理プログラムであって、
ユーザが保有する有価価値情報を財またはサービスに交換する際に、前記複数の加盟店の一覧を示す情報を前記端末装置に通信ネットワークを介して提供する処理、
およびユーザが保有する有価価値情報を前記複数の加盟店の一覧から選択された加盟店が提供する財またはサービスに交換する処理が行われる際に、当該ユーザが保有する有価価値情報を確認する処理
をコンピュータに実行させる有価価値情報管理プログラム。
【請求項２２】
通信ネットワークに接続される端末装置から、ユーザが有価価値情報を財またはサービスに交換することを希望する加盟店を示す情報を通信ネットワークを介して受信すると、受信した情報が示す加盟店で、その加盟店が提要する財またはサービスに有価価値情報を変換するための処理をコンピュータに実行させる
請求項２１記載の有価価値情報管理プログラム。
【請求項２３】
コンピュータに、財またはサービスに交換することに同意している複数の加盟店が提供する財またはサービスに交換可能であり通信ネットワークを介して転送される有価価値情報の管理を実行させる有価価値情報管理プログラムであって、
通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理をコンピュータに順次実行させる有価価値情報管理プログラム。
【請求項２４】
ユーザが保有する有価価値情報を財またはサービスに交換する際に、複数の加盟店の一覧を示す情報を端末装置に通信ネットワークを介して提供する処理をコンピュータに実行させる
請求項２３記載の有価価値情報管理プログラム。
【発明の詳細な説明】
【０００１】
【発明の属する技術分野】
本発明は、通信ネットワーク上で財またはサービスに交換可能な電子的な有価価値情報を管理する有価価値情報の管理方法及び管理システム並びに有価価値情報管理プログラムに関する。
【０００２】
【従来の技術】
今日、様々な商品がインターネットを介して販売されており、利用者は、インターネットを介してショッピングサイトにアクセスしてネットショッピングを楽しむことができる。一方で、デパートなどで利用できる商品券を贈り物として相手に贈ることが一般に行われているが、ネットショッピングで利用できる電子的な商品券（電子データの商品券）を相手に贈ることができれば利用者にとって便利である。そこで、相手の端末に贈り物として電子商品券を贈る技術が従来より提案されている。
【０００３】
従来の電子商品券の管理方法として、例えば、特開２００１−２２９２７６公報に開示された「ギフトデータ処理方法」がある。この従来の方法では、送り手側端末からギフトカードサーバに対して、受け手（受け取り人）やギフト金額の情報を送信する。ギフトカードサーバは、指定の金額のギフトカードとともにＩＤを受け手側端末に通知する。受け手側端末は、ＩＤを用いてギフトカードの契約ショップにアクセスし、ギフトカードで所望の商品を購入する。契約ショップは、商品の代金の請求をギフトカードサーバに対して行い、ギフトカードサーバの運営者は、ギフトカードに付随するＩＤから送り手を特定し、送り手が指定したクレジット会社に対して代金を請求する。
【０００４】
なお、他の従来の電子商品券の管理方法が、特開２００２−２４５３１公報や特開２００２−５６２０７公報などにも開示されている。
【０００５】
【発明が解決しようとする課題】
しかし、従来の方法では、利用者はインターネットを介してショッピングサイトにアクセスすることでしか電子商品券を使用することができなかった。このため、例えば、ショッピングサイトで販売されていない商品を電子商品券を使用して購入することはできない。また、ショッピングサイトよりも実際（実在）の店舗で買う方が安い商品がある場合に、利用者は電子商品券を使用してその安い方の商品を購入することができない。従って、利用者が贈られた電子商品券を十分に活用できないということも起こり得る。
【０００６】
本発明は、上記のような課題を解決するためになされたものであり、電子的な商品券などの有価価値情報をより有効に活用することができる有価価値情報の管理方法及び管理システム並びに有価価値情報管理プログラムを得ることを目的とする。
【０００７】
【課題を解決するための手段】
本発明による有価価値情報の管理方法は、財（金銭または金銭と交換可能な物品）またはサービス（金銭と交換可能な役務）に交換することに同意している複数の加盟店が提供する財またはサービスに交換可能であり、通信ネットワークを介して転送される有価価値情報の管理を行う管理方法であって、有価価値情報の残高をユーザ毎に管理する管理手段が、ユーザが保有する有価価値情報を財またはサービスに交換する際に、複数の加盟店の一覧を示す情報を、ユーザが操作するユーザ端末等の端末装置に通信ネットワークを介して提供し、管理手段が、ユーザが保有する有価価値情報を複数の加盟店の一覧から選択された加盟店が提供する財またはサービスに交換する処理が行われる際に、ユーザが保有する有価価値情報を確認することを特徴とする。複数の加盟店の一覧を示す情報が端末装置に提供されるので、端末装置の操作者は、複数の加盟店から、有価価値情報を財またはサービスに交換してもらう加盟店を容易に選択することができる。
【０００８】
管理手段が、通信ネットワークに接続される端末装置から、ユーザが有価価値情報を財またはサービスに交換することを希望する加盟店を示す情報を通信ネットワークを介して受信すると、受信した情報が示す加盟店で、その加盟店が提供する財またはサービスに有価価値情報を変換するための処理を実行するように構成されていてもよい。
【０００９】
本発明による他の態様の有価価値情報の管理方法は、有価価値情報の残高をユーザ毎に管理する管理手段が、通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理を順次実行することを特徴とする。管理手段が、複数の加盟店で財またはサービスに有価価値情報を変換するための処理を順次実行することから、有価価値情報を保有するユーザは、１つの有価価値情報にもとづいて、管理手段を介して、種々の加盟店において、種々の財またはサービスを得ることができる。例えば、一の加盟店において有価価値情報を物理的な商品券に交換してもらい、他の加盟店において有価価値情報をその加盟店独自のポイントに変換してもらい、さらに他の加盟店において有価価値情報をオンラインショッピングの代金に交換してもらうことができる。
【００１０】
その場合、管理手段が、ユーザが保有する有価価値情報を財またはサービスに交換する際に、複数の加盟店の一覧を示す情報を端末装置に通信ネットワークを介して提供することが好ましい。ユーザが、有価価値情報を財またはサービスに交換してもらう複数の加盟店を選択することがより容易になるからである。
【００１１】
端末装置から受信した情報が示す加盟店で、端末端末から受信した情報が示す財またはサービスに有価価値情報を変換するための処理は、例えば、管理手段が、加盟店または加盟店の委託を受けた第三者が運営するＷｅｂサイトであって有価価値情報を財またはサービスに交換する処理を行うＷｅｂサイトに、通信ネットワークを介して端末装置を接続させることで実現される。
【００１２】
有価価値情報から交換可能な財には、例えば、加盟店で商品またはサービスと交換しうる物理的な商品券やプリペイドカードなどの有価価値券が含まれる。
【００１３】
有価価値情報から交換可能な財には、例えば、加盟店で商品またはサービスと交換しうるポイントが含まれる。
【００１４】
有価価値情報から交換可能な財には、例えば、加盟店または加盟店の委託を受けた第三者が運営する商品またはサービスを販売するＷｅｂサイトから、端末装置が通信ネットワークを介して購入処理を行った商品またはサービスが含まれる。
【００１５】
管理手段が、通信ネットワークを介して一のユーザが操作する端末装置から他のユーザに対して有価価値情報を贈与する旨の情報を受信すると、通信ネットワークを介して他のユーザが操作する端末装置に、一のユーザから有価価値情報が贈与される旨の情報を送信するように構成されていてもよい。そのような構成によれば、贈答品としての有価価値情報を、贈与を受けた者に有効に使用してもらうことができる。
【００１６】
管理手段が、他のユーザが操作する端末装置から有価価値情報の贈与を受け入れる旨の情報を受信した場合に、他のユーザに対応する利用可能な有価価値情報の残高情報を、贈与される有価価値情報の分だけ増やすように構成されていてもよい。そのような構成によれば、贈与された者が保有する有価価値情報を正確に管理することができる。
【００１７】
本発明による有価価値情報の管理システムは、財またはサービスに交換することに同意している複数の加盟店が提供する財またはサービスに交換可能であり、通信ネットワークを介して転送される有価価値情報の管理を行う管理システムであって、有価価値情報の残高をユーザ毎に管理する管理サーバを備え、管理サーバは、ユーザが保有する有価価値情報を財またはサービスに交換する際に、複数の加盟店の一覧を示す情報を端末装置に通信ネットワークを介して提供し、管理サーバは、ユーザが保有する有価価値情報を複数の加盟店の一覧から選択された加盟店が提供する財またはサービスに交換する処理が行われる際に、ユーザが保有する有価価値情報を確認することを特徴とする。複数の加盟店の一覧を示す情報が端末装置に提供されるので、端末装置の操作者は、複数の加盟店から、有価価値情報を財またはサービスに交換してもらう加盟店を容易に選択することができる。
【００１８】
管理サーバは、通信ネットワークに接続される端末装置から、ユーザが有価価値情報を財またはサービスに交換することを希望する加盟店を示す情報を通信ネットワークを介して受信すると、受信した情報が示す加盟店で、その加盟店が提供する財またはサービスに有価価値情報を変換するための処理を実行するように構成されていてもよい。
【００１９】
本発明による他の態様の有価価値情報の管理システムは、有価価値情報の残高をユーザ毎に管理する管理サーバを備え、管理サーバは、通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理を順次実行することを特徴とする。管理サーバが、複数の加盟店で財またはサービスに有価価値情報を交換するための処理を順次実行することから、有価価値情報を保有するユーザは、１つの有価価値情報にもとづいて、管理サーバを介して、種々の加盟店において、種々の財またはサービスを得ることができる。
【００２０】
その場合、管理サーバは、ユーザが保有する有価価値情報を財またはサービスに交換する際に、複数の加盟店の一覧を示す情報を端末装置に通信ネットワークを介して提供することが好ましい。ユーザが、有価価値情報を財またはサービスに交換してもらう複数の加盟店を選択することがより容易になるからである。
【００２１】
端末装置から受信した情報が示す加盟店で、端末装置から受信した情報が示す財またはサービスに有価価値情報を変換するために、例えば、加盟店または加盟店の委託を受けた第三者が運営するＷｅｂサイトであって有価価値情報を財またはサービスに交換する処理を行うＷｅｂサイトに、通信ネットワークを介して端末装置を接続させることで実現される。
【００２２】
有価価値情報から交換可能な財には、例えば、加盟店で商品またはサービスと交換しうる物理的な商品券やプリペイドカードなどの有価価値券が含まれる。
【００２３】
有価価値情報から交換可能な財には、例えば、加盟店で商品またはサービスと交換しうるポイントが含まれる。
【００２４】
有価価値情報から交換可能な財には、例えば、加盟店または加盟店の委託を受けた第三者が運営する商品またはサービスを販売するＷｅｂサイトから、端末装置が通信ネットワークを介して購入処理を行った商品またはサービスが含まれる。
【００２５】
管理サーバは、通信ネットワークを介して一のユーザが操作する端末装置から他のユーザに対して有価価値情報を贈与する旨の情報を受信すると、通信ネットワークを介して他のユーザが操作する端末装置に、一のユーザから有価価値情報が贈与される旨の情報を送信するように構成されていてもよい。そのような構成によれば、贈答品としての有価価値情報を、贈与を受けた者に有効に使用してもらうことができる。
【００２６】
管理サーバは、他のユーザが操作する端末装置から有価価値情報の贈与を受け入れる旨の情報を受信した場合に、他のユーザに対応する利用可能な有価価値情報の残高情報を、贈与される有価価値情報の分だけ増やすように構成されていてもよい。
【００２７】
本発明による有価価値情報管理プログラムは、コンピュータに、財またはサービスに交換することに同意している複数の加盟店が提供する財またはサービスに交換可能であり通信ネットワークを介して転送される有価価値情報の管理を実行させる有価価値情報管理プログラムであって、ユーザが保有する有価価値情報を財またはサービスに交換する際に、複数の加盟店の一覧を示す情報を端末装置に通信ネットワークを介して提供する処理、およびユーザが保有する有価価値情報を複数の加盟店の一覧から選択された加盟店が提供する財またはサービスに交換する処理が行われる際に、当該ユーザが保有する有価価値情報を確認する処理をコンピュータに実行させることを特徴とする。
【００２８】
有価価値情報管理プログラムは、コンピュータが通信ネットワークに接続される端末装置から、ユーザが有価価値情報を財またはサービスに交換することを希望する加盟店を示す情報を通信ネットワークを介して受信すると、受信した情報が示す加盟店で、その加盟店が提供する財またはサービスに有価価値情報を変換するための処理をコンピュータに実行させるように構成されていてもよい。
【００２９】
本発明による他の態様の有価価値情報管理プログラムは、コンピュータに、通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理をコンピュータに順次実行させることを特徴とする。
【００３０】
その場合、プログラムは、ユーザが保有する有価価値情報を財またはサービスに交換する際に、複数の加盟店の一覧を示す情報を端末装置に通信ネットワークを介して提供する処理をコンピュータに実行させることが好ましい。
【００３１】
【発明の実施の形態】
以下、本発明の実施の一形態を図面を参照して説明する。
実施の形態１．
図１は、本発明の電子商品券管理システムの実施の形態１の構成を示すシステム構成図である。なお、電子商品券管理システムは、本願発明の有価価値情報の管理システムに相当する。図１に示す構成において、利用者Ａ端末１は、利用者Ａが有するパーソナルコンピュータや携帯電話機などの端末装置である。利用者Ｂ端末２は、利用者Ｂが有するパーソナルコンピュータや携帯電話機などの端末装置である。以下、利用者Ａが有価価値情報としての電子共通商品券を利用者Ｂに贈る場合を例にする。
【００３２】
電子共通商品券とは、利用者がインターネット６上で商品やサービスを購入するのに利用できる電子的な商品券、旅行券、図書券などをいう。すなわち、電子共通商品券は、デパートなどで使うことができる全国共通商品券などよりも広い意味の用語として明細書において使用しており、商品を購入する場合に利用可能なだけでなく、無形のサービスに対する対価としても利用することができるものである。
【００３３】
図１に示すように、利用者Ａ端末１および利用者Ｂ端末２は、それぞれ、インターネット６に接続されている。また、利用者Ａ端末１および利用者Ｂ端末２は、それぞれ、インターネット６を介して任意のサイトが公開するＷｅｂページを閲覧するブラウザ機能やメールを送受信するメール送受信機能を備えている。
【００３４】
加盟店サーバ３は、電子共通商品券の取扱店として加盟している加盟店（すなわち、電子共通商品券で商品等を購入可能な店）によって設置されたサーバである。加盟店サーバ３は、インターネット６に接続され、利用者がネットショッピングするためのショッピングサイトを実現する。加盟店として、例えば、デパート、コンビニエンスストア、家電量販店、チケットショップ、旅行代理店、書店、ホテルなどの様々な商品販売者やサービス提供者がある。加盟店には、顧客が購入した商品等の金額の何パーセントかを電子的なポイントとして還元するポイント還元サービスを提供する店も含まれている。なお、ポイント還元サービスでは、例えば１ポイントが１円に変換される。また、加盟店サーバは、加盟店によって直接運営されることもあるが、加盟店の委託を受けた第三者によって運営されることもある。
【００３５】
管理センタサーバ４は、電子共通商品券を管理する事業者によって設置され、加盟店に代わって電子共通商品券の発行・管理などを行うサーバである。管理センタサーバ４は、電子共通商品券の取扱いに関する各種の処理を実行する。例えば、管理センタサーバ４は、利用者（贈り主）への電子共通商品券の販売、電子共通商品券の発行、利用者（受け取り主）への電子共通商品券の送付（贈与）、電子共通商品券を利用するためのパスワードの発行、加盟店が顧客に提供するサービスの管理、利用者（贈り主および受け取り主）の管理、電子共通商品券の代金の徴収、電子共通商品券での電子決済などの処理を行う。管理センタサーバ４は、インターネット６に接続されている。また、管理センタサーバ４は、専用線などを介して金融機関サーバ５にも接続されている。
【００３６】
金融機関サーバ５は、例えばクレジットカード会社などの金融機関によって設置されたサーバである。金融機関サーバ５は、専用線などを介して管理センタサーバ４に接続されている。金融機関サーバ５は、管理センタサーバ４からの要求に応じて、例えば電子共通商品券の代金を管理センタサーバ４を運営する事業者の銀行口座に振り込むとともに、電子共通商品券の代金を利用者から徴収するカード決済処理を行う。
【００３７】
図２は、管理センタサーバの内部構成例を示すブロック図である。図２に示す構成において、通信部４１は、インターネット６や専用線などに接続され、インターネット６や専用線などを通じてデータ通信を行う。管理制御部４２は、複数の加盟店で使用することができる電子共通商品券を管理する。管理制御部４２は、サイト提供部４２Ａ、利用者登録受付部４２Ｂ、メール管理部４２Ｃ、電子商品券管理部４２Ｄおよびカード決済処理部４２Ｅを備えている。
【００３８】
サイト提供部４２Ａは、利用者（贈り主）からの電子共通商品券の購入の申し込みを受け付け、また利用者（受け取り主）による電子共通商品券の受け取りの要求を受け付ける電子共通商品券管理サイトを実現する。利用者登録受付部４２Ｂは、電子共通商品券管理サイトを通じてアクセスしてきた利用者（贈り主および受け取り主）のデータベース４５，４６への登録処理を行う。メール管理部４２Ｃは、インターネット６を介して利用者に所定のメッセージの電子メールを送信する。
【００３９】
電子共通商品券管理部４２Ｄは、利用者毎の電子共通商品券の利用可能残高の管理や、利用者毎の電子共通商品券での電子決済などの処理を行う。カード決済処理部４２Ｅは、利用者に販売した電子共通商品券の代金を徴収する処理を行う。
【００４０】
記憶部４３は、サイト提供部４２Ａが実現するＨＴＭＬで記述された電子共通商品券管理サイトのＷｅｂページ情報（サイト情報）および管理制御部４２の動作を制御するための制御プログラムを記憶する。加盟店データベース（以下、加盟店ＤＢという）４４は、加盟店の名称、電話番号、メールアドレス、取扱商品・サービス等、加盟店が実施しているサービス内容（例えば、ポイント還元サービス）などの情報を格納する。
【００４１】
贈り主データベース（以下、贈り主ＤＢという）４５は、電子共通商品券の贈り主である利用者毎の氏名、名称、電話番号、メールアドレス、クレジットカード番号、購入した電子共通商品券の金額などの情報を格納する。受け取り主データベース（以下、受け取り主ＤＢという）４６は、電子共通商品券の受け取り主である利用者毎の氏名、名称、電話番号、メールアドレス、電子共通商品券の利用可能残高などの情報を格納する。
【００４２】
次に、動作について説明する。
（１）贈り主から受け取り主への電子共通商品券の贈与（贈呈）および受け取り主による電子共通商品券での商品等の購入の動作。
図３は、電子共通商品券の贈与および電子共通商品券での商品等の購入の動作を説明するためのシーケンス図である。贈り主である利用者Ａが、電子共通商品券を購入し、購入した電子共通商品券を利用者Ｂに贈りたいとする。この場合、利用者Ａは、利用者Ａ端末１のブラウザを操作して、インターネット６を介して管理センタサーバ４の管理制御部４２のサイト提供部４２Ａによる電子共通商品券管理サイトにアクセスする（ステップＡ１）。そして、利用者Ａは、電子共通商品券管理サイトのＷｅｂ画面内の所定の項目（欄）に贈り主情報、受け取り主情報（贈り先情報）、電子共通商品券の購入金額および利用者Ｂへのメッセージなどを入力する。
【００４３】
ここで、贈り主情報は、贈り主である利用者Ａ自身の氏名、電話番号、メールアドレス、クレジットカード番号などの情報である。また、受け取り主情報は、受け取り主である利用者Ｂの氏名、電話番号、メールアドレスなどである。メッセージは、例えば、贈り物に添えて送る挨拶状などである。
【００４４】
利用者Ａは、Ｗｅｂ画面内の所定の項目に上記の情報を入力すると、Ｗｅｂ画面内の送信ボタンをクリックするなどして、購入した電子共通商品券の利用者Ｂへの送信を管理センタサーバ４に依頼する（ステップＡ２）。
【００４５】
管理センタサーバ４において、管理制御部４２の利用者登録受付部４２Ｂは、利用者Ａ端末１からの電子共通商品券の送信依頼を受けると、電子共通商品券管理サイトのＷｅｂ画面内に入力された贈り主情報、受け取り主情報、電子共通商品券の購入金額およびメッセージなどをデータベース４５，４６に登録する（ステップＡ３）。具体的には、利用者登録受付部４２Ｂは、贈り主情報を贈り主ＤＢ４５に登録する。利用者登録受付部４２Ｂは、電子共通商品券の受け取り処理用の暗証番号を発行するとともに、受け取り主情報、電子共商品券の金額、メッセージおよび電子共通商品券の受け取り処理用の暗証番号などを受け取り主ＤＢ４６に登録する。
【００４６】
次に、管理制御部４２のメール管理部４２Ｃは、贈り主である利用者Ｂのメールアドレスを確認する。そして、メール管理部４２Ｃは、贈り主である利用者Ａからのメッセージ、利用者Ａから贈られた電子共通商品券の金額、電子共通商品券の受け取り処理用の暗証番号、電子共通商品券管理サイトのＵＲＬ、電子共通商品券の使用方法および電子共通商品券の使用上の注意などを通知する電子メールを、利用者Ｂのメールアドレスに対して送信する（ステップＡ４）。
【００４７】
受け取り主である利用者Ｂは、利用者Ｂ端末２でメーラを操作して、管理センタサーバ４から送られた電子メールを受信する（ステップＡ５）。利用者Ｂは、受信した電子メールの内容を確認し、利用者Ａから電子共通商品券が送られたこと、および電子共通商品券を使用するために管理センタサーバ４に対して受け取り処理を行う必要があることを認識する。利用者Ｂは、電子共通商品券を受け取りたいときに、利用者Ｂ端末２のブラウザを操作して、管理センタサーバ４の管理制御部４２のサイト提供部４２Ａがインターネット６上に提供している電子共通商品券管理サイトにアクセスする（ステップＡ６）。
【００４８】
利用者Ｂは、電子共通商品券管理サイトのＷｅｂ画面内の所定の項目（欄）に受け取り処理用の暗証番号、自己の氏名、電話番号、メールアドレスなどを入力する。そして、利用者Ｂは、Ｗｅｂ画面内の受取要求ボタンをクリックするなどして、利用者Ａから贈られた電子共通商品券の受け取り処理を管理センタサーバ４に要求する（ステップＡ７）。
【００４９】
管理センタサーバ４において、管理制御部４２の電子商品券管理部４２Ｄは、利用者Ｂ端末２からの電子共通商品券の受け取り処理要求を受けると、電子共通商品券の受け取り処理を実行する（ステップＡ８）。
【００５０】
具体的には、電子商品券管理部４２Ｄは、電子共通商品券管理サイトのＷｅｂ画面内に入力された受け取り処理用の暗証番号、利用者Ｂの氏名、電話番号などが、受け取り主ＤＢ４６に登録された暗証番号、氏名、電話番号などと一致するかどうかを確認する。電子商品券管理部４２Ｄは、それらの情報が一致すると判断した場合、利用者Ｂが電子共通商品券を利用可能であることを受け取り主ＤＢ４６に登録する。すなわち、利用可能な電子共通商品券の残高を、贈られた分だけ増やす。電子商品券管理部４２Ｄは、利用者Ｂが電子共通商品券を利用するためのパスワードを発行する。そして、電子商品券管理部４２Ｄは、発行したパスワードを受け取り主ＤＢ４６に登録して記憶する。また、電子商品券管理部４２Ｄは、発行したパスワードを利用者Ｂ端末２に通知（送信）するようにメール管理部４２Ｃに指示する。
【００５１】
メール管理部４２Ｃは、電子商品券管理部４２Ｄからの指示に基づいて、電子共通商品券を利用するためのパスワードを通知する電子メールを利用者Ｂ端末２に送信する（ステップＡ９）。また、メール管理部４２Ｃは、受け取り主から贈り主へのお礼のメッセージを利用者Ａ端末１に送信する（ステップＡ１０）。なお、お礼のメッセージは、予め定まった定型文でなく、利用者Ｂが受け取り処理を行う際にＷｅｂ画面上で入力した利用者Ａへのメッセージでもよい。
【００５２】
なお、電子商品券管理部４２Ｄは、受け取り処理用の暗証番号、利用者Ｂの氏名、電話番号などの情報が一致しないと判断した場合は、電子共通商品券の受け取り処理を終了する。この場合は、利用者Ｂは、利用者Ａから贈られた電子共通商品券を利用することができない。
【００５３】
また、受け取り主である利用者Ｂが、所定期間を過ぎても電子共通商品券の受け取り処理を行わない場合には、受け取り処理を促がす電子メールを利用者Ｂの利用者Ｂ端末２に送信する。または、受け取り処理が行われていないことを通知する電子メールを利用者Ａの利用者Ａ端末１に送信する。また、受け取り主である利用者Ｂが、電子共通商品券の受け取り処理を行った後、所定期間を過ぎても電子共通商品券が使用されていない場合には、電子共通商品券の使用を促す電子メールを利用者Ｂの利用者Ｂ端末２に送信する。
【００５４】
管理センタサーバ４において、管理制御部４２のカード決済処理部４２Ｅは、利用者Ａが購入して利用者Ｂに贈った電子共通商品券の代金徴収処理を実行する（ステップＡ１１）。具体的には、カード決済処理部４２Ｅは、利用者Ａのクレジットカード番号に基づいて、金融機関サーバ５に対して電子共通商品券の代金を請求する。金融機関サーバ５は、管理センタサーバ４からの電子共通商品券の代金の請求があると、カード決済処理を行う（ステップＡ１２）。具体的には、金融機関サーバ５は、電子共通商品券の代金を管理センタサーバ４を運営する事業者の銀行口座に振り込むとともに、電子共通商品券の代金を利用者の銀行口座から引き落とすための処理を行う。
【００５５】
利用者Ｂは、電子共通商品券の受け取り処理を行った後は、管理センタサーバ４から通知されたパスワードを使って、電子共通商品券で商品等を購入することができる。利用者Ｂは、電子共通商品券で商品等を購入する場合、利用者Ｂ端末２のブラウザを操作して、インターネット６を介して、電子共通商品券を利用可能な加盟店の加盟店サーバ３によるショッピングサイトにアクセスする（ステップＡ１３）。
【００５６】
利用者Ｂは、ショッピングサイトのＷｅｂ画面内に表示されている購入希望の商品等を選択する。そして、利用者Ｂは、Ｗｅｂ画面内の電子共通商品券を利用するためのパスワードを入力する（ステップＡ１４）。なお、加盟店サーバ３は、利用者Ｂの認証の必要に応じて、利用者Ｂに対して電話番号等の入力を行わせるようにしてもよい。
【００５７】
加盟店サーバ３は、利用者Ｂによって購入希望の商品等の選択およびパスワードの入力が行われると、管理センタサーバ４に対して利用者Ｂの認証および利用者Ｂが保有する電子共通商品券の残高確認の問い合わせを行う（ステップＡ１５）。この問い合わせとともに、加盟店を特定する情報も通知される。
【００５８】
管理センタサーバ４において、管理制御部４２の電子商品券管理部４２Ｄは、加盟店サーバ３からの利用者Ｂの認証および電子共通商品券の残高確認の問い合わせを受けると、利用者Ｂの認証を実行するとともに、利用者Ｂが保有する電子共通商品券の利用可能残高の確認を実行する（ステップＡ１６）。
【００５９】
具体的には、電子商品券管理部４２Ｄは、加盟店サーバ３からの問い合わせとともに送られた利用者Ｂのパスワードに基づいて、受け取り主ＤＢ４６に登録されている利用者Ｂのレコードを検索する。そして、電子商品券管理部４２Ｄは、加盟店サーバ３から送られた利用者Ｂのパスワードなどが、受け取り主ＤＢ４６に登録された利用者Ｂのパスワードなどと一致するか否かを確認して利用者Ｂを認証する。また、電子商品券管理部４２Ｄは、受け取り主ＤＢ４６の利用者Ｂのレコードに格納されている電子共通商品券の利用可能残高を確認する。
【００６０】
電子商品券管理部４２Ｄは、利用者Ｂの認証を実行した結果、利用者Ｂが電子共通商品券を利用することができる者であると判断すれば、利用者Ｂが電子共通商品券を利用することができること、および利用者Ｂの電子共通商品券の利用可能残高を、加盟店サーバ３からの問い合わせに対する応答として加盟店サーバ３に送信する（ステップＡ１７）。なお、電子商品券管理部４２Ｄは、利用者Ｂの認証を実行した結果、利用者Ｂが電子共通商品券を利用することができないと判断した場合は、その旨を問い合わせに対する応答として加盟店サーバ３に送信する。
【００６１】
加盟店サーバ３は、管理センタサーバ４からの応答を受信すると、利用者Ｂが電子共通商品券を利用することができるかどうか、利用できる電子共通商品券の残高を確認する。そして、加盟店サーバ３は、利用者Ｂの購入商品等の金額を請求するための電子決済処理要求を管理センタサーバ４に送信する（ステップＡ１８）。電子決済処理要求には、決済処理を要求する加盟店を特定する情報や、利用者Ｂの購入商品等の内容及び金額などの情報が含まれている。
【００６２】
管理センタサーバ４において、管理制御部４２の電子商品券管理部４２Ｄは、加盟店サーバ３からの電子決済処理要求を受けると、電子決済処理を実行する（ステップＡ１９）。具体的には、電子商品券管理部４２Ｄは、電子決済処理要求で指定された金額を電子共通商品券の利用可能残高から差し引き、差し引いた残高を受け取り主ＤＢ４６の利用者Ｂのレコードに登録する。また、電子商品券管理部４２Ｄは、加盟店の口座に商品等の代金を振り込むようにカード決済処理部４２Ｅに指示する。カード決済処理部４２Ｅは、電子商品券管理部４２Ｄからの指示に基づき、金融機関サーバ５に代金の振り込みを依頼する。電子商品券管理部４２Ｄは、電子決済処理が完了すると、処理完了通知を加盟店サーバ３に送信する（ステップＡ２０）。
【００６３】
加盟店サーバ３は、管理センタサーバ４からの処理完了通知を受け取ると、商品等の販売処理を実行する（ステップＡ２１）。具体的には、加盟店サーバ３は、利用者Ｂが購入した商品等の種類、その商品等の金額、その商品等の代金が電子共通商品券で支払い済みであることなどをデータベース（図示せず）に登録する。その後、利用者Ｂが購入した商品等は、郵送等によって利用者Ｂの手元に届けられる。
【００６４】
（２）受け取り主による電子共通商品券での商品等の購入および電子共通商品券のポイント変換の動作。
例えば、家電量販店などでは、顧客が購入した商品の金額の例えば１０パーセントをポイントとして還元し、そのポイントで顧客が商品を購入することができるサービスを提供している。電子共通商品券を家電量販店などのポイントに変換することができれば、電子共通商品券の利用性・利便性も一層向上することになる。
【００６５】
図４は、電子共通商品券での商品等の購入および電子共通商品券のポイント変換の動作を説明するためのシーケンス図である。なお、利用者Ｂは、既に電子共通商品券の受け取り処理を行っており、所定の金額の電子共通商品券を保有している。
【００６６】
管理センタサーバ４の管理制御部４２のサイト提供部４２Ａは、上記したように、電子共通商品券管理サイトを実現している。電子共通商品券管理サイト内には、電子共通商品券を利用可能な加盟店の一覧が表示される。その加盟店の一覧の表示には、加盟店サーバ３Ａ，３Ｂによるショッピングサイトとリンクが張られている。
【００６７】
利用者Ｂは、電子共通商品券で商品等を購入する場合、利用者Ｂ端末２のブラウザを操作して、管理センタサーバ４による電子共通商品券管理サイトにアクセスする（ステップＢ１）。そして、利用者Ｂは、電子共通商品券管理サイトのＷｅｂ画面内に表示されている加盟店の一覧の中から、所定の加盟店サーバ３Ａのショッピングサイトへのリンクをクリックするなどして選択する（ステップＢ２）。
【００６８】
管理センタサーバ４において、管理制御部４２のサイト提供部４２Ａは、加盟店サーバ３Ａのショッピングサイトへのリンクが選択されると、加盟店サーバ３ＡのＵＲＬをパラメータとして受け取る。サイト提供部４２Ａは、受け取ったパラメータに基づき、利用者Ｂ端末２の接続先を加盟店サーバ３Ａのショッピングサイトに転送する（ステップＢ３）。これによって、利用者Ｂ端末２は、加盟店Ａまたは加盟店Ａの委託を受けた第三者が運営する加盟店サーバ３Ａのショッピングサイトに接続する。なお、利用者Ｂが電子共通商品券管理サイトのＷｅｂ画面内における所定の加盟店サーバ３Ａのショッピングサイトへのリンクを選択することにより、利用者Ｂ端末２のブラウザが加盟店サーバ３Ａのショッピングサイトに直接アクセスして、当該ショッピングサイトに接続する構成であってもよい。
【００６９】
利用者Ｂは、ショッピングサイトのＷｅｂ画面内に表示されている購入希望の商品等を選択する。そして、利用者Ｂは、Ｗｅｂ画面内で電子共通商品券を利用するためのパスワードを入力する（ステップＢ４）。加盟店サーバ３Ａは、利用者Ｂによって購入希望の商品等の選択およびパスワードの入力が行われると、管理センタサーバ４に対して利用者Ｂの認証および利用者Ｂが保有する電子共通商品券の残高確認の問い合わせを行う（ステップＢ５）。
【００７０】
管理センタサーバ４において、管理制御部４２の電子商品券管理部４２Ｄは、加盟店サーバ３Ａからの利用者Ｂの認証および電子共通商品券の残高確認の問い合わせを受けると、利用者Ｂの認証を実行するとともに、利用者Ｂが保有する電子共通商品券の利用可能残高の確認を実行する（ステップＢ６）。
【００７１】
電子商品券管理部４２Ｄは、利用者Ｂの認証を実行した結果、利用者Ｂが電子共通商品券を利用することができる者であると判断すれば、利用者Ｂが電子共通商品券を利用することができること、および利用者Ｂの電子共通商品券の利用可能残高を、加盟店サーバ３からの問い合わせに対する応答として加盟店サーバ３Ａに送信する（ステップＢ７）。
【００７２】
加盟店サーバ３Ａは、管理センタサーバ４からの応答を受信すると、利用者Ｂが電子共通商品券を利用することができるかどうか、利用できる電子共通商品券の残高を確認する。そして、加盟店サーバ３Ａは、利用者Ｂの購入商品等の金額を請求するための電子決済処理要求を管理センタサーバ４に送信する（ステップＢ８）。電子決済処理要求には、決済処理を要求する加盟店を特定する情報や、利用者Ｂの購入商品等の内容及び金額などの情報が含まれている。
【００７３】
管理センタサーバ４において、管理制御部４２の電子商品券管理部４２Ｄは、加盟店サーバ３Ａからの電子決済処理要求を受けると、電子決済処理を実行する（ステップＢ９）。具体的には、電子商品券管理部４２Ｄは、電子決済処理要求で指定された金額を電子共通商品券の利用可能残高から差し引き、差し引いた残高を受け取り主ＤＢ４６の利用者Ｂのレコードに登録する。また、電子商品券管理部４２Ｄは、加盟店の口座に商品等の代金を振り込むようにカード決済処理部４２Ｅに指示する。カード決済処理部４２Ｅは、電子商品券管理部４２Ｄからの指示に基づき、金融機関サーバ５に代金の振り込みを依頼する。電子商品券管理部４２Ｄは、電子決済処理が完了すると、処理完了通知を加盟店サーバ３Ａに送信する（ステップＢ１０）。加盟店サーバ３Ａは、管理センタサーバ４からの処理完了通知を受け取ると、商品等の販売処理を実行する（ステップＢ１１）。その後、利用者Ｂが購入した商品等は、郵送等によって利用者Ｂの手元に届けられる。
【００７４】
利用者Ｂは、電子共通商品券を加盟店Ｂのポイントに変換したい場合、管理センタサーバ４による電子共通商品券管理サイトに戻る。電子共通商品券管理サイト内のＷｅｂページには、加盟店の一覧が表示されるとともに、各加盟店が顧客に提供するサービスも表示される。利用者Ｂは、電子共通商品券管理サイトのＷｅｂ画面内に表示されている加盟店の一覧の中から、所定の加盟店サーバ３Ｂのショッピングサイトへのリンクをクリックするなどして選択する（ステップＢ２１）。
【００７５】
管理センタサーバ４において、管理制御部４２のサイト提供部４２Ａは、加盟店サーバ３Ｂのショッピングサイトへのリンクが選択されると、加盟店サーバ３ＢのＵＲＬをパラメータとして受け取る。サイト提供部４２Ａは、受け取ったパラメータに基づき、利用者Ｂ端末２の接続先を加盟店サーバ３Ｂのショッピングサイトに転送する（ステップＢ２２）。これによって、利用者Ｂ端末２は、加盟店Ｂまたは加盟店Ｂの委託を受けた第三者が運営する加盟店サーバ３Ｂのショッピングサイトに接続する。なお、利用者Ｂが電子共通商品券管理サイトのＷｅｂ画面内における所定の加盟店サーバ３Ｂのショッピングサイトへのリンクを選択することにより、利用者Ｂ端末２のブラウザが加盟店サーバ３Ｂのショッピングサイトに直接アクセスして、当該ショッピングサイトに接続する構成であってもよい。
【００７６】
利用者Ｂは、ショッピングサイトのＷｅｂ画面内で、所定の金額の電子共通商品券を加盟店Ｂのポイントに変換することを要求する（ステップＢ２３）。このとき、利用者Ｂは、Ｗｅｂ画面内で電子共通商品券を利用するためのパスワードを入力する。加盟店サーバ３Ｂは、利用者Ｂによってポイント変換要求が行われると、管理センタサーバ４に対して利用者Ｂの認証および利用者Ｂが保有する電子共通商品券の残高確認の問い合わせを行う（ステップＢ２４）。
【００７７】
管理センタサーバ４において、管理制御部４２の電子商品券管理部４２Ｄは、加盟店サーバ３Ｂからの利用者Ｂの認証および電子共通商品券の残高確認の問い合わせを受けると、利用者Ｂの認証を実行するとともに、利用者Ｂが保有する電子共通商品券の利用可能残高の確認を実行する（ステップＢ２５）。
【００７８】
電子商品券管理部４２Ｄは、利用者Ｂの認証を実行した結果、利用者Ｂが電子共通商品券を利用することができる者であると判断すれば、利用者Ｂが電子共通商品券を利用することができること、および利用者Ｂの電子共通商品券の利用可能残高を、加盟店サーバ３からの問い合わせに対する応答として加盟店サーバ３Ｂに送信する（ステップＢ２６）。
【００７９】
加盟店サーバ３Ｂは、管理センタサーバ４からの応答を受信すると、利用者Ｂが電子共通商品券を利用することができるかどうか、利用できる電子共通商品券の残高を確認する。そして、加盟店サーバ３Ｂは、利用者Ｂによって指定されたポイントに変換する電子共通商品券の金額を請求するための電子決済処理要求を管理センタサーバ４に送信する（ステップＢ２７）。
【００８０】
管理センタサーバ４において、管理制御部４２の電子商品券管理部４２Ｄは、加盟店サーバ３Ｂからの電子決済処理要求を受けると、電子決済処理を実行する（ステップＢ２８）。具体的には、電子商品券管理部４２Ｄは、電子決済処理要求で指定された金額を電子共通商品券の利用可能残高から差し引き、差し引いた残高を受け取り主ＤＢ４６の利用者Ｂのレコードに登録する。電子商品券管理部４２Ｄは、電子決済処理が完了すると、処理完了通知を加盟店サーバ３Ｂに送信する（ステップＢ２９）。
【００８１】
加盟店サーバ３Ｂは、管理センタサーバ４からの処理完了通知を受け取ると、電子共通商品券のポイント変換処理を実行する（ステップＢ３０）。具体的には、加盟店サーバ３Ｂは、利用者Ｂによって指定された金額の電子共通商品券をその額に相当するポイントに変換し、変換したポイントをデータベースに登録する。その後、利用者Ｂは、加盟店Ｂのポイントを使って、加盟店Ｂのショッピングサイトや実際の店舗で商品等を購入することができる。
【００８２】
以上のように、管理手段としての管理センタサーバ（管理サーバ）４は、利用者端末から、利用者が電子共通商品券を財またはサービスに交換することを希望する複数の加盟店（上記の例では加盟店Ａ，Ｂ）を示す情報をインターネット６を介して順次受信すると、受信した情報が示す各加盟店で、各加盟店が提供する財またはサービス（上記の例では、加盟店Ａにおけるオンラインショッピングによる商品等、加盟店Ｂにおけるポイント）に電子共通商品券を変換するための処理を順次実行することが可能である。管理センタサーバ４が、複数の加盟店で財またはサービスに電子共通商品券を交換するための処理を順次実行することから、電子共通商品券を保有する利用者は、各加盟店において共通使用できる電子共通商品券すなわち１つの有価価値情報にもとづいて、管理センタサーバ４を介して、種々の加盟店において、種々の財またはサービスを得ることができる。
【００８３】
なお、図４では、電子共通商品券を一つの加盟店のポイントに変換するものであったが、電子共通商品券を複数の加盟店それぞれの独自のポイントに変換できるように構成することも可能である。また、電子共通商品券を複数の加盟店の共通のポイントに変換することも可能である。
【００８４】
また、図４では、利用者Ｂが加盟店サーバ３Ｂのショッピングサイト上で電子共通商品券を加盟店Ｂのポイントに変換する動作について説明したが、利用者Ｂは、電子共通商品券をポイントに変換した後、そのように変換したポイントによって加盟店サーバ３Ｂのショッピングサイト上で商品等を購入することも可能である。
【００８５】
以上のように、本実施の形態では、管理センタサーバ４は、贈り主の利用者Ａ端末１から電子共通商品券の受け取り主への贈与の依頼があると、受け取り主の利用者Ｂ端末２に贈り主からの電子共通商品券の贈与があったことを通知する。そして、管理センタサーバ４は、受け取り主の利用者Ｂ端末２からの電子共通商品券の受け取り処理の要求に応じて、受け取り主である利用者Ｂを受け取り主ＤＢ４６に登録して、利用者Ｂによる電子共通商品券の利用を許容する。このような構成によれば、贈り主は、自身の利用者Ａ端末１を操作するだけで、自宅に居ながら容易に受け取り主に電子共通商品券を贈与することができる。
【００８６】
また、管理センタサーバ４は、インターネット６上で商品購入等に利用可能な電子共通商品券を利用者毎に受け取り主ＤＢ４６に登録する。加盟店サーバ３が、利用者Ｂ端末２から電子共通商品券を加盟店で利用可能な電子的なポイントに変換する要求を受けると、管理センタサーバ４に電子決済処理を要求する。そして、管理センタサーバ４は、加盟店サーバ３からの電子決済処理の要求に応じて、利用者Ｂが利用可能な電子共通商品券の残高からポイント変換分の金額を差し引き、差し引いた残高を受け取り主ＤＢ４６の利用者Ｂのレコードに登録する。加盟店サーバ３は、管理センタサーバ４の電子決済処理の完了に応じて、差し引かれた金額分の電子共通商品券を電子的なポイントに変換する。
【００８７】
このような構成によれば、利用者は自身が保有する電子共通商品券を加盟店のポイントに任意に変換して使用することができ、利用者による電子共通商品券の利用性・利便性が向上する。また、加盟店にとっても、電子共通商品券をポイントに変換してくれることにより、ポイントを商品等に変換するために来客者数が向上することを期待することができる。
【００８８】
また、管理センタサーバ４は、電子共通商品券管理サイトで贈る主の利用者Ａ端末１からの電子共通商品券の贈与の依頼および受け取り主の利用者Ｂ端末２からの受け取り処理要求を受け付ける。従って、利用者（贈り主および受け取り主）にとって容易に当該サイトにアクセスすることができ、利用者の負担が軽減される。
【００８９】
また、電子共通商品券管理サイトには、加盟店の一覧が表示されるので、利用者が望む商品等を販売しているショッピングサイトを実現する加盟店サーバ３に容易にアクセスすることができ、利用者の負担が一層軽減される。
【００９０】
なお、電子共通商品券から交換可能な財またはサービスは、各加盟店で使用できる物理的な商品券またはプリペイドカードであってもよい。物理的な商品券またはプリペイドカードに交換する場合には、上述した手順と同様に、管理センタサーバ４を介して各加盟店のサイトに購入申込を行うことになるが、物理的な商品券またはプリペイドカードは、例えば、各加盟店の店頭またはコンビニエンスストアなどの所定の場所に設置される発券機によって発券され利用者に渡される。
【００９１】
また、以上の説明から明らかなように、管理センタサーバ４は、利用者が保有する電子共通商品券を財またはサービスに交換する際に、複数の加盟店の一覧を示す情報を利用者端末にインターネット６を介して提供する処理、および利用者が保有する電子共通商品券を複数の加盟店の一覧から選択された加盟店が提供する財またはサービスに交換する処理が行われる際に、利用者が保有する電子共通商品券を確認する処理を実行するためのプログラムを備えている必要があり、さらに、利用者端末から、利用者が電子共通商品券を財またはサービスに交換することを希望する複数の加盟店を示す情報を通信ネットワークを介して順次受信すると、受信した情報が示す各加盟店で、各加盟店が提供する財またはサービスに電子共通商品券を変換するための処理をコンピュータに順次実行させるプログラムを備えている必要がある。
【００９２】
実施の形態２．
上記の実施の形態では、電子共通商品券によってネットショッピングを行うことができるシステムが示されたが、加盟店の実際の店舗で電子共通商品券を使用できるシステムを構築することもできる。また、管理センタサーバ４が加盟店のポイントサービスを管理するように構成することもできる。
【００９３】
図５は、本発明の有価価値情報の管理システムの実施の形態２の構成を示すシステム構成図である。図５に示す構成において、加盟店端末７は、電子共通商品券の取扱店として加盟している加盟店の店舗に設置された専用の端末またはパーソナルコンピュータなどの汎用の端末である。加盟店端末７は、顧客が保有するポイントを管理する。また、加盟店端末７は、電子共通商品券をポイントに変換する処理も実行する。加盟店端末７は、図５に示すように、インターネット６に接続されている。
【００９４】
なお、図５のその他の構成については、図１に示した構成と同様であるため、重複する説明を省略する。
【００９５】
次に、動作について説明する。
（１）加盟店端末からの電子共通商品券での商品等の購入の動作。
図６は、加盟店端末からの電子共通商品券での商品等の購入の動作を説明するためのシーケンス図である。なお、利用者Ｂは、既に電子共通商品券の受け取り処理を行っており、所定の金額の電子共通商品券を保有している。また、加盟店は、販売した商品の金額の何パーセントかをポイントとして還元するポイント還元サービスを顧客に提供している。
【００９６】
利用者Ｂは、加盟店の実際の店舗において、電子共通商品券で商品等を購入することもできる。利用者Ｂは、購入希望の商品を選び、選んだ商品を代金支払場所に持って行く。加盟店の店員は、加盟店端末７を操作して、購入希望の商品を加盟店端末７に入力する。また、店員は、電子共通商品券での商品の購入を希望する利用者Ｂに、電子共通商品券を利用するためのパスワードの入力を促がす。利用者Ｂは、店員の指示に従って、加盟店端末７にパスワードを入力する（ステップＣ１）。
【００９７】
加盟店端末７は、店員の操作に応じて、管理センタサーバ４に対して利用者Ｂの認証および利用者Ｂが保有する電子共通商品券の残高確認の問い合わせを行う（ステップＣ２）。
【００９８】
管理センタサーバ４において、管理制御部４２の電子商品券管理部４２Ｄは、加盟店端末７からの利用者Ｂの認証および電子共通商品券の残高確認の問い合わせを受けると、利用者Ｂの認証を実行するとともに、利用者Ｂが保有する電子共通商品券の利用可能残高の確認を実行する（ステップＣ３）。
【００９９】
電子商品券管理部４２Ｄは、利用者Ｂの認証を実行した結果、利用者Ｂが電子共通商品券を利用することができる者であると判断すれば、利用者Ｂが電子共通商品券を利用することができること、および利用者Ｂの電子共通商品券の利用可能残高を、加盟店サーバ３からの問い合わせに対する応答として加盟店端末７に送信する（ステップＣ４）。
【０１００】
加盟店端末７は、管理センタサーバ４からの応答を受信すると、利用者Ｂが電子共通商品券を利用することができるかどうか、利用できる電子共通商品券の残高を確認する。そして、加盟店端末７は、利用者Ｂの購入商品の金額を請求するための電子決済処理要求を管理センタサーバ４に送信する（ステップＣ５）。電子決済処理要求には、決済処理を要求する加盟店を特定する情報や、利用者Ｂの購入商品等の内容及び金額などの情報が含まれている。
【０１０１】
管理センタサーバ４において、管理制御部４２の電子商品券管理部４２Ｄは、加盟店端末７からの電子決済処理要求を受けると、電子決済処理を実行する（ステップＣ６）。具体的には、電子商品券管理部４２Ｄは、電子決済処理要求で指定された金額を電子共通商品券の利用可能残高から差し引き、差し引いた残高を受け取り主ＤＢ４６の利用者Ｂのレコードに登録する。また、電子商品券管理部４２Ｄは、加盟店の口座に商品等の代金を振り込むようにカード決済処理部４２Ｅに指示する。カード決済処理部４２Ｅは、電子商品券管理部４２Ｄからの指示に基づき、金融機関サーバ５に代金の振り込みを依頼する。電子商品券管理部４２Ｄは、電子決済処理が完了すると、処理完了通知を加盟店端末７に送信する（ステップＣ７）。加盟店端末７は、管理センタサーバ４からの処理完了通知を受け取ると、商品等の販売処理を実行する（ステップＣ８）。具体的には、加盟店端末７は、利用者Ｂが購入した商品の種類、その商品の金額、その商品の代金が電子共通商品券で支払い済みであることなどをデータベースなどに登録する。
【０１０２】
（２）管理センタサーバによる加盟店のポイント管理および加盟店端末からのポイントでの商品等の購入の動作。
図７は、管理センタサーバによる加盟店のポイント管理および加盟店端末からのポイントでの商品等の購入の動作を説明するためのシーケンス図である。なお、利用者Ｂは、既に電子共通商品券の受け取り処理を行っており、所定の金額の電子共通商品券を保有している。また、加盟店は、販売した商品の金額の何パーセントかをポイントとして還元するポイント還元サービスを顧客に提供している。
【０１０３】
ここで、管理センタサーバ４の管理制御部４２の電子商品券管理部４２Ｄは、実施の形態１で説明した電子共通商品券の管理を行うだけでなく、加盟店に代わって、加盟店が顧客に対してサービスとして提供しているポイントの管理も行う。
【０１０４】
利用者Ｂは、利用者Ｂ端末２のブラウザを操作して、管理センタサーバ４の管理制御部４２のサイト提供部４２Ａがインターネット６上に提供している電子共通商品券管理サイトにアクセスする（ステップＤ１）。電子共通商品券管理サイトには、加盟店の一覧が表示されるとともに、各加盟店が顧客に提供するサービスも表示される。利用者Ｂは、電子共通商品券管理サイトのＷｅｂ画面内で所定の加盟店を選択し、所定の金額の電子共通商品券を当該加盟店のポイントに変換するポイント変換処理を要求する（ステップＤ２）。このとき、利用者Ｂは、Ｗｅｂ画面内で電子共通商品券を利用するためのパスワードや自己の電話番号などを入力する。従って、ポイント変換処理要求とともにパスワードなども管理センタサーバ４に通知される。
【０１０５】
管理センタサーバ４において、管理制御部４２の電子商品券管理部４２Ｄは、利用者Ｂ端末２からの所定の加盟店のポイント変換処理要求を受けると、ポイント変換処理を実行する（ステップＤ３）。
【０１０６】
具体的には、電子商品券管理部４２Ｄは、利用者Ｂ端末２から通知されたパスワードなどに基づいて、利用者Ｂの認証を行う。電子商品券管理部４２Ｄは、電子共通商品券の残高が利用者Ｂによってポイント変換要求された金額を下回っていないかどうかについて確認する。電子商品券管理部４２Ｄは、電子共通商品券の残高がポイント変換要求された金額を下回っていない場合は、電子共通商品券の残高からポイント変換要求された金額を差し引き、差し引いた残高を受け取り主ＤＢ４６の利用者Ｂのレコードに登録する。また、電子商品券管理部４２Ｄは、ポイント変換要求された金額に相当する加盟店のポイントを受け取り主ＤＢ４６の利用者Ｂのレコードに登録する。さらに、電子商品券管理部４２Ｄは、加盟店の口座にポイントに相当する代金を振り込むようにカード決済処理部４２Ｅに指示する。カード決済処理部４２Ｅは、電子商品券管理部４２Ｄからの指示に基づき、金融機関サーバ５に代金の振り込みを依頼する。電子商品券管理部４２Ｄは、電子決済処理が完了すると、処理完了通知を加盟店端末７に送信する。
【０１０７】
利用者Ｂは、上記のように、あらかじめ電子共通商品券を所定の加盟店のポイントに変換して登録しておくことにより、加盟店の実際の店舗において、ポイントで商品等を購入することができる。利用者Ｂは、加盟店の実際の店舗で購入希望の商品を選び、選んだ商品を代金支払場所に持って行く。加盟店の店員は、加盟店端末７を操作して、購入希望の商品の種類や金額などを加盟店端末７に入力する。また、店員は、電子共通商品券での商品の購入を希望する利用者Ｂに、ポイントを利用するためのパスワードの入力を促がす。利用者Ｂは、店員の指示に従って、加盟店端末７にパスワードを入力する（ステップＤ１１）。
【０１０８】
加盟店端末７は、店員の操作に応じて、管理センタサーバ４に対して利用者Ｂの認証および利用者Ｂが保有する加盟店のポイントの残高確認の問い合わせを行う（ステップＤ１２）。
【０１０９】
管理センタサーバ４において、管理制御部４２の電子商品券管理部４２Ｄは、加盟店端末７からの利用者Ｂの認証およびポイントの残高確認の問い合わせを受けると、利用者Ｂの認証を実行するとともに、利用者Ｂが保有する当該加盟店のポイントの利用可能残高の確認を実行する（ステップＤ１３）。
【０１１０】
電子商品券管理部４２Ｄは、利用者Ｂの認証を実行した結果、利用者Ｂがポイントを利用することができる者であると判断すれば、利用者Ｂがポイントを利用することができること、および利用者Ｂのポイントの利用可能残高を、加盟店サーバ３からの問い合わせに対する応答として加盟店端末７に送信する（ステップＤ１４）。
【０１１１】
加盟店端末７は、管理センタサーバ４からの応答を受信すると、利用者Ｂがポイントを利用することができるかどうか、利用できるポイントの残高を確認する。そして、加盟店端末７は、利用者Ｂの購入商品の代金に相当するポイントを請求するための電子決済処理要求を管理センタサーバ４に送信する（ステップＤ１５）。電子決済処理要求には、決済処理を要求する加盟店を特定する情報や、利用者Ｂが使用するポイント数などの情報が含まれている。
【０１１２】
管理センタサーバ４において、管理制御部４２の電子商品券管理部４２Ｄは、加盟店端末７からの電子決済処理要求を受けると、電子決済処理を実行する（ステップＤ１６）。具体的には、電子商品券管理部４２Ｄは、受け取り主ＤＢ４６の利用者Ｂのレコードに登録されているその加盟店のポイントの利用可能残高から請求された金額分のポイントを差し引き、差し引いた残高を受け取り主ＤＢ４６に登録する。電子商品券管理部４２Ｄは、電子決済処理が完了すると、処理完了通知を加盟店端末７に送信する（ステップＤ１７）。
【０１１３】
加盟店端末７は、管理センタサーバ４からの処理完了通知を受け取ると、商品等の販売処理を実行する（ステッＤ１８）。具体的には、加盟店端末７は、利用者Ｂが購入した商品の種類、その商品の金額、その商品の代金がポイントで支払い済みであることなどをデータベースなどに登録する。
【０１１４】
なお、図７では、管理センタサーバ４は、一つの加盟店のポイントを管理していたが、複数の加盟店それぞれの独自のポイントを同時に管理するように構成することも可能である。この場合、受け取り主ＤＢ４６の利用者Ｂのレコードには、複数の加盟店毎のポイントが登録される。
【０１１５】
また、加盟店の実際の店舗でポイントによって商品等を購入する動作を説明したが、加盟店サーバ３のショッピングサイトでポイントによって商品等を購入できるように構成することも可能である。この場合、図７で説明したような管理センタサーバ４と加盟店端末７との間で行われていたのと同様の手順によって、ショッピングサイト上でのポイントによる商品等の購入を実現することができる。
【０１１６】
以上のように、本実施の形態では、管理センタサーバ４は、加盟店の実際の店舗に設置された加盟店端末７からの利用者Ｂの商品購入等に基づく電子決済処理の要求に応じて、利用者Ｂが利用可能な電子共通商品券の残高から商品等の代金分の金額を差し引き、差し引いた残高を受け取り主ＤＢ４６の利用者Ｂのレコードに登録する。従って、利用者Ｂはインターネット６でのネットショッピングだけでなく、実際の店舗での商品購入等にも電子共通商品券を使用することができる。
【０１１７】
また、管理センタサーバ４は、電子共通商品券の管理だけでなく、加盟店に代わって、加盟店の電子的なポイントの管理も行う。従って、加盟店は、利用者毎のポイントの管理を行うためのシステムが不要となり、設備の負担が縮小される。
【０１１８】
実施の形態３．
また、電子共通商品券を物理的な商品券またはプリペイドカードに変換できるシステムを構築することもできる。図８は、本発明の有価価値情報の管理システムの実施の形態３の構成を示すシステム構成図である。図８に示す構成において、発券機８は、加盟店の実際の店舗内などに設置された、加盟店で使用できる物理的な商品券またはプリペイドカードを発券する装置である。発券機８は、図８に示すように、インターネット６に接続されている。
【０１１９】
ここで、物理的な商品券は、電子共通商品券のような仮想的な電子データの商品券ではなく、紙などからなる商品券である。物理的な商品券は、特定の加盟店でのみ使用できるものでも、複数の加盟店で使用できるものでもよい。プリペイドカードは、例えばコンビニエンスストアなどで商品を購入するのに使用することができるカードである。プリペイドカードも、特定の加盟店でのみ使用できるものでも、複数の加盟店で使用できるものでもよい。
【０１２０】
なお、図８のその他の構成については、図１および図５に示した構成と同様であるため、重複する説明を省略する。
【０１２１】
次に、動作について説明する。
図９は、物理的な商品券またはプリペイドカードの発券の動作を説明するためのシーケンス図である。なお、利用者Ｂは、既に電子共通商品券の受け取り処理を行っており、所定の金額の電子共通商品券を保有している。
【０１２２】
利用者Ｂは、自己が保有している電子共通商品券を物理的な商品券やプリペイドカードに発券機８で変換することができる。利用者Ｂは、物理的な商品券などに変換する電子共通商品券の金額および電子共通商品券を利用するためのパスワードを発券機８に入力する（ステップＥ１）。発券機８は、管理センタサーバ４に対して利用者Ｂの認証および利用者Ｂが保有する加盟店の電子共通商品券の残高確認の問い合わせを行う（ステップＥ２）。
【０１２３】
管理センタサーバ４において、管理制御部４２の電子商品券管理部４２Ｄは、発券機８からの利用者Ｂの認証および電子共通商品券の残高確認の問い合わせを受けると、利用者Ｂの認証を実行するとともに、利用者Ｂが保有する電子共通商品券の利用可能残高の確認を実行する（ステップＥ３）。
【０１２４】
電子商品券管理部４２Ｄは、利用者Ｂの認証を実行した結果、利用者Ｂが電子共通商品券を利用することができる者であると判断すれば、利用者Ｂが電子共通商品券を利用することができること、および利用者Ｂの電子共通商品券の利用可能残高を、問い合わせに対する応答として発券機８に送信する（ステップＥ４）。
【０１２５】
発券機８は、管理センタサーバ４からの応答を受信すると、利用者Ｂが電子共通商品券を利用することができるかどうか、利用できる電子共通商品券の残高を確認する。そして、発券機８は、利用者Ｂが指定した物理的な商品券などに変換する分の金額を請求するための電子決済処理要求を管理センタサーバ４に送信する（ステップＥ５）。
【０１２６】
管理センタサーバ４において、管理制御部４２の電子商品券管理部４２Ｄは、発券機８からの電子決済処理要求を受けると、電子決済処理を実行する（ステップＥ６）。具体的には、電子商品券管理部４２Ｄは、受け取り主ＤＢ４６の利用者Ｂのレコードに登録されている電子共通商品券の利用可能残高から物理的な商品券などに変換する分の金額を差し引き、差し引いた残高を受け取り主ＤＢ４６に登録する。電子商品券管理部４２Ｄは、電子決済処理が完了すると、処理完了通知を発券機８に送信する（ステップＥ７）。
【０１２７】
発券機８は、管理センタサーバ４からの処理完了通知を受け取ると、物理的な商品券またはプリペイドカードを発券する（ステップＥ８）。利用者Ｂは、発券機８によって発券された物理的な商品券またはプリペイドカードを使用して、商品等を購入することができる。
【０１２８】
なお、実施の形態３では、電子共通商品券を物理的な商品券またはプリペイドカードに変換するものであったが、電子共通商品券を現金に換金するように構成することも可能である。この場合、発券機８を現金支払機に置き換えることにより実現することができる。
【０１２９】
以上のように、本実施の形態では、発券機８が電子共通商品券を物理的な商品券またはプリペイドカードに変換して発券するので、利用者Ｂによる電子共通商品券の利用性・利便性が一層向上する。
【０１３０】
実施の形態４．
利用者Ｂが管理センタサーバ４に登録されている自己が保有する電子共通商品券の利用可能残高を確認することができるシステムを構築することもできる。図１０は、そのように電子商品券管理システムの動作を説明するためのシーケンス図である。なお、電子商品券管理システムの構成は、図１，図５，図８に示した構成で実現できるため、図示および重複する説明を省略する。
【０１３１】
次に、動作について説明する。
なお、利用者Ｂは、既に電子共通商品券の受け取り処理を行っており、所定の金額の電子共通商品券を保有している。
【０１３２】
利用者Ｂは、管理センタサーバ４に登録されている自己が保有する電子共通商品券の利用可能残高を確認するために、利用者Ｂ端末２のブラウザを操作して、管理センタサーバ４の管理制御部４２のサイト提供部４２Ａによる電子共通商品券管理サイトにアクセスする（ステップＦ１）。
【０１３３】
利用者Ｂは、電子共通商品券管理サイトのＷｅｂ画面内で電子共通商品券を利用するためのパスワードを入力する（ステップＦ２）。そして、利用者Ｂは、Ｗｅｂ画面内で残高照会ボタンをクリックするなどして、電子共通商品券の残高照会を要求する（ステップＦ３）。
【０１３４】
管理センタサーバ４において、管理制御部４２の電子商品券管理部４２Ｄは、利用者Ｂ端末２からの残高照会の要求を受けると、利用者Ｂのパスワードに基づいて受け取り主ＤＢ４６内で利用者Ｂのレコードを検索する。電子商品券管理部４２Ｄは、受け取り主ＤＢ４６の利用者Ｂのレコードに登録されている電子共通商品券の利用可能残高を確認する。そして、電子商品券管理部４２Ｄは、確認した利用者Ｂの電子共通商品券の利用可能残高を電子共通商品券管理サイトのＷｅｂ画面に表示する（ステップＦ４）。利用者Ｂは、Ｗｅｂ画面に表示された電子共通商品券の利用可能残高を確認する。
【０１３５】
以上のように、本実施の形態では、管理センタサーバ４が電子共通商品券の利用者Ｂの利用可能残高をインターネット６を通じて利用者Ｂ端末２に通知するので、利用者Ｂは自身の電子共通商品券の残高を容易に確認することができる。
【０１３６】
なお、実施の形態１〜４で説明した電子商品券管理システムの構成を適宜組み合わせて構成してもよい。例えば、利用者Ｂが保有する電子共通商品券のうち、Ｘ円分を管理センタサーバ４が加盟店Ａの独自ポイントに変換し、Ｙ円分を発券機８が複数の加盟店Ａ，Ｂ，Ｃで使用できる物理商品券に変換し、Ｚ円分を発券機８が複数の加盟店Ｂ，Ｃで使用できるプリペイドカードに変換するように構成することも可能である。
【０１３７】
また、実施の形態１，２では、電子共通商品券を加盟店の電子的なポイントに変換する処理が行われていたが、逆に、加盟店の電子的なポイントを電子共通商品券に変換するように構成してもよい。
【０１３８】
また、管理センタサーバ４は、過去に電子共通商品券を購入したことのある者に、電子共通商品券の購入を促す電子メール（ダイレクトメール）を送信して、電子共通商品券の普及および利用の促進を図るようにしてもよい。
【０１３９】
【発明の効果】
以上のように、本発明では、管理手段や管理サーバが、ユーザが保有する有価価値情報を財またはサービスに交換する際に、複数の加盟店の一覧を示す情報を、ユーザが操作するユーザ端末等の端末装置に通信ネットワークを介して提供し、管理手段が、ユーザが保有する有価価値情報を複数の加盟店の一覧から選択された加盟店が提供する財またはサービスに交換する処理が行われる際に、ユーザが保有する有価価値情報を確認するので、複数の加盟店の一覧を示す情報が端末装置に提供されるので、端末装置の操作者は、複数の加盟店から、有価価値情報を財またはサービスに交換してもらう加盟店を容易に選択することができる。その結果、利用者による有価価値情報の利用性・利便性を向上させることができる。
【０１４０】
また、管理手段や管理サーバが、通信ネットワークに接続される端末装置から、ユーザが有価価値情報を財またはサービスに交換することを希望する複数の加盟店を示す情報を通信ネットワークを介して順次受信すると、受信した情報が示す各加盟店で、各加盟店が提供する財またはサービスに有価価値情報を変換するための処理を順次実行するので、有価価値情報を保有するユーザは、１つの有価価値情報にもとづいて、管理サーバを介して、種々の加盟店において、種々の財またはサービスを得ることができる。その結果、やはり、利用者による有価価値情報の利用性・利便性を向上させることができる。
【図面の簡単な説明】
【図１】本発明の電子商品券管理システムの実施の形態１の構成を示すシステム構成図である。
【図２】管理センタサーバの内部構成例を示すブロック図である。
【図３】電子共通商品券の贈与および電子共通商品券での商品等の購入の動作を説明するためのシーケンス図である。
【図４】電子共通商品券での商品等の購入および電子共通商品券のポイント変換の動作を説明するためのシーケンス図である。
【図５】本発明の電子商品券管理システムの実施の形態２の構成を示すシステム構成図である。
【図６】加盟店端末からの電子共通商品券での商品等の購入の動作を説明するためのシーケンス図である。
【図７】管理センタサーバによる加盟店のポイント管理および加盟店端末からのポイントでの商品等の購入の動作を説明するためのシーケンス図である。
【図８】本発明の電子商品券管理システムの実施の形態３の構成を示すシステム構成図である。
【図９】物理的な商品券またはプリペイドカードの発券の動作を説明するためのシーケンス図である。
【図１０】電子共通商品券の残高照会の動作を説明するためのシーケンス図である。
【符号の説明】
１　利用者Ａ端末（端末装置）
２　利用者Ｂ端末（端末装置）
３　加盟店サーバ
４　管理センタサーバ
４１　通信部
４２　管理制御部（管理手段）
４３　記憶部
４４　加盟店データベース
４５　贈り主データベース
４６　受け取り主データベース
５　金融機関サーバ
６　インターネット（通信ネットワーク）
７　加盟店端末
８　発券機
【図１】
2004062545.tif 000003
【図２】
2004062545.tif 000004
【図３】
2004062545.tif 000005
【図４】
2004062545.tif 000006
【図５】
2004062545.tif 000007
【図６】
2004062545.tif 000008
【図７】
2004062545.tif 000009
【図８】
2004062545.tif 000010
【図９】
2004062545.tif 000011
【図１０】
2004062545.tif 000012